(57)【要約】【課題】施工されたモルタル、コンクリート等における細骨材の分布密度を常に均一なものとでき、また型枠の下部に充填されるモルタルが垂れるのを防止することができるモルタル、コンクリート等の施工用型枠、型枠を用いたモルタルの施工方法を提供する。【解決手段】モルタル１７の細骨材１９の分布密度が高い場合には、多くの細骨材１９が型枠１に堆積したモルタル１７等に当たって跳ね返り、モルタル１７を吹き付けた側と反対側の大サイズの網目部９、１１から排出される。モルタル１７の細骨材１９の分布密度が低い場合には、少ない細骨材１９が上記の場合と同様にしてモルタル１７を吹き付けた側と反対側の大サイズの網目部９、１１から排出される。【選択図】        図１
2010001692.tif 000002
【特許請求の範囲】
【請求項１】
外面側と内面側とを連通させる複数の網目部を有し、施工面に設置して外面側からモルタル、コンクリート等を噴射して前記網目部を通し内面側へモルタル、コンクリート等を充填して堆積させるモルタル、コンクリート等の施工用型枠において、高さ方向の下端から半分程度の範囲までの間に小サイズの網目部が配置され、前記小サイズの網目部より上端側に小サイズの網目部より面積の大きい大サイズの網目部が配置されていることを特徴とするモルタル、コンクリート等の施工用型枠。
【請求項２】
請求項１に記載したモルタル、コンクリート等の施工用型枠において、型枠は、間隔をあけて並設した複数のほぼ逆U字状のベース部材と、前記ベース部材にほぼ直交して連結された複数の交差部材とから成ることを特徴とするモルタル、コンクリート等の施工用型枠。
【請求項３】
請求項１または２に記載したモルタル、コンクリート等の施工用型枠を用いたモルタル、コンクリート等の施工方法において、前記型枠を施工面に設置して、大サイズの網目部の外面側からモルタルを噴射して、モルタル、コンクリート等を型枠内に堆積させることを特徴とするモルタル、コンクリート等の施工方法。
【請求項４】
請求項３に記載したモルタル、コンクリート等の施工方法において、モルタル、コンクリート等の噴射圧力は６〜８ｋｇ／ｃｍ2であることを特徴とするモルタル、コンクリート等の施工方法。
【請求項５】
請求項３または４に記載したモルタル、コンクリート等の施工方法において、モルタル、コンクリート等は型枠の斜め上方から噴射されることを特徴とするモルタル、コンクリート等の施工方法。
【発明の詳細な説明】
【技術分野】
【０００１】
本発明は、例えば道路、住宅等の法面の崩壊を防ぐために法面に備える補強体の形成に適用するモルタル、コンクリート等の施工用型枠、この型枠を用いたモルタル、コンクリート等の施工方法に関するものである。
【背景技術】
【０００２】
特許文献１に記載されたモルタル、コンクリート等の施工用の型枠は、例えば、道路、住宅等の法面の崩壊を防ぐため、法面にモルタル等を格子状の補強体を形成する場合等に使用されるものである。
また型枠は、間隔をおいて並設された複数のほぼ逆Ｕ字状の部材と、このほぼ逆Ｕ字状の部材にほぼ直交して編み込んで連結されると共に間隔をおいて並設された複数の側面側の部材等とから構成されている。
この型枠に対しモルタル等を外面側から吹き付けて、モルタル等を型枠内に堆積させ、更にモルタル等が型枠を覆う状態として、モルタル等の施工を行う。
【０００３】
この種の施工に用いられるモルタルは、例えば水２１０ｋｇ／ｍ3、セメント４２０ｋｇ／ｍ3、細骨材１６８０ｋｇ／ｍ3を混合したものである。なお細骨材は粒径５ｍｍ以下の砂利が８５％以上を占めるものである。この細骨材は強度等の観点から施工後のモルタル内に均一に分布していることが望ましい。
【０００４】
【特許文献１】特許第２７３６２２４号公報
【発明の開示】
【発明が解決しようとする課題】
【０００５】
しかしながら、モルタル等を加圧してホース内を搬送する途中などにおいて、細骨材の分布密度に偏りが生じて、密度の高いところができてしまうことがあり、このままモルタル等を吹き付けてしまうと、型枠内のモルタル等に細骨材の分布密度の高いところが生じてしまうおそれがある。
また、上述したような道路、住宅等の法面の崩壊を防ぐために法面にモルタル等によって格子状の補強体を形成する場合には、施工面が傾斜しているため型枠に充填したモルタル等が垂れてしまうおそれがある。特に型枠の下部に充填されるモルタル等が垂れて変形してしまうと、補強体の見栄えが悪くなるばかりか、その強度にも悪影響を及ぼしかねない。
【０００６】
本発明は上記従来の問題点に着目して為されたものであり、施工されたモルタル等における細骨材の分布密度を常に均一なものとでき、また型枠の下部に充填されるモルタル等が垂れるのを防止することができるモルタル、コンクリート等の施工用型枠、この型枠を用いたモルタル、コンクリート等の施工方法を提供することを、その目的とする。
【課題を解決するための手段】
【０００７】
本発明は上記課題を解決するためになされたものであり、請求項１の発明は、外面側と内面側とを連通させる複数の網目部を有し、施工面に設置して外面側からモルタル、コンクリート等を噴射して前記網目部を通し内面側へモルタル、コンクリート等を充填して堆積させるモルタル、コンクリート等の施工用型枠において、高さ方向の下端から半分程度の範囲までの間に小サイズの網目部が配置され、前記小サイズの網目部より上端側に小サイズの網目部より面積の大きい大サイズの網目部が配置されていることを特徴とするモルタル、コンクリート等の施工用型枠である。
【０００８】
請求項２の発明は、請求項１に記載したモルタル、コンクリート等の施工用型枠において、型枠は、間隔をあけて並設した複数のほぼ逆U字状のベース部材と、前記ベース部材にほぼ直交して連結された複数の交差部材とから成ることを特徴とするモルタル、コンクリート等の施工用型枠である。
【０００９】
請求項３の発明は、請求項１または２に記載したモルタル、コンクリート等の施工用型枠を用いたモルタル、コンクリート等の施工方法において、前記型枠を施工面に設置して、大サイズの網目部の外面側からモルタルを噴射して、モルタル、コンクリート等を型枠内に堆積させることを特徴とするモルタル、コンクリート等の施工方法である。
【００１０】
請求項４の発明は、請求項３に記載したモルタル、コンクリート等の施工方法において、モルタル、コンクリート等の噴射圧力は６〜８ｋｇ／ｃｍ2であることを特徴とするモルタル、コンクリート等の施工方法である。
【００１１】
請求項５の発明は、請求項３または４に記載したモルタル、コンクリート等の施工方法において、モルタル、コンクリート等は型枠の斜め上方から噴射されることを特徴とするモルタル、コンクリート等の施工方法である。
【発明の効果】
【００１２】
本発明のモルタル、コンクリート等の施工用型枠、この型枠を用いたモルタル、コンクリート等の施工方法によれば、施工されたモルタル、コンクリート等における細骨材の分布密度を常に均一なものとできるようになる。
また型枠の下部に充填されるモルタル、コンクリート等が垂れるのを防止することができるようになる。
【発明を実施するための最良の形態】
【００１３】
本発明の実施の形態に係るモルタル、コンクリート等の施工用の型枠１、この型枠１を使用したモルタル、コンクリート等の施工方法を図面にしたがって説明する。
型枠１は、道路、住宅等の法面の崩壊を防ぐために法面にモルタル、コンクリート等を施工して、格子状の補強体２０を形成する場合等に使用されるものである。そして、補強体２０の格子内は植物の生育基盤層として利用される。
【００１４】
図１から図３に示すように、型枠１は間隔をおいて並設された複数のほぼ逆Ｕ字状のベース部材３と、このほぼ逆Ｕ字状のベース部材３にほぼ直交して編み込んで連結されると共に間隔をおいて並設された複数の交差部材５とから構成されている。交差部材５はベース部材３の側部にそれぞれ８本ずつ備えられており、側部においては狭い間隔で配置され、頂部近傍においては合計３本が備えられており、広い間隔で配置されている。従って、型枠１の両側部にはベース部材３と交差部材５とによって構成される小サイズの網目部７がそれぞれ形成されている。小サイズの網目部７は両側部に高さ方向に７個連なり、前後方向に２９個連なって形成されている（型枠１は前後方向の途中までの部分だけを図示する。）。
【００１５】
また、型枠１の頂部近傍には大サイズの網目部９が左右方向に２個連なり、前後方向に２９個連なって形成されている。この網目部９と小サイズの網目部７との間には大サイズの網目部１１が左右にそれぞれ１つずつ形成され、前後方向に２９個連なって形成されている。小サイズの網目部７は型枠１の高さ寸法の下から半分程度までの間に配置されている。ここで、高さ寸法の下から半分程度とは、上端を高さ寸法の下から６割の寸法、即ち本実施の形態では、型枠１の高さ寸法Ｔが１５０ｍｍであるから、型枠１の下端から９０ｍｍより下側の範囲に小サイズの網目部７を配置し、それより上側の範囲に大サイズの網目部９、１１を配置する。
これら網目部７、９、１１は型枠の内面側と外面側とを連通させている。
【００１６】
型枠１の高さ寸法Ｔは１５０ｍｍ、下端部左右幅寸法Ｗは３４０ｍｍで、長さ寸法Ｌは１５００ｍｍである。
小サイズの網目部７は高さ寸法Ｔ１が１２ｍｍで、長さ寸法Ｌ１が５０ｍｍである。この高さ寸法Ｔ１は５ｍｍ〜２０ｍｍの範囲で適宜変更でき、長さＬ１は３０ｍｍ〜８０ｍｍの範囲で適宜変更できる。
大サイズの網目部９は高さ（幅）寸法Ｔ２が５０ｍｍで、長さ寸法Ｌ２が５０ｍｍであり、この高さ（幅）寸法Ｔ２は３０ｍｍ〜８０ｍｍの範囲で適宜変更でき、長さ寸法Ｌ２は３０ｍｍ〜８０ｍｍの範囲で適宜変更できる。
大サイズの網目部１１は高さ寸法（幅）寸法Ｔ３が９５ｍｍで、長さ寸法Ｌ３が５０ｍｍであり、この高さ寸法（幅）寸法Ｔ３は３０ｍｍ〜１５０ｍｍの範囲で適宜変更でき、長さ寸法Ｌ３は３０ｍｍ〜８０ｍｍの範囲で適宜変更できる。
【００１７】
次に、この型枠を用いたモルタル、コンクリート等の施工方法について説明する。
施工面としての道路、住宅等の法面Ｇに鉄筋１３を配置する。鉄筋１３は、法面Ｇに差し込んで立てた支柱１４に井桁形状の鉄筋支持部材１５に支持させて上下二段に亙って配設される。鉄筋１３は鉄筋支持部材１５に針金１６で結束されて固定される。
【００１８】
そして、図４に示すようにモルタル１７を、一方側の大サイズの網目部９、１１から型枠１内へ充填するように吹き付ける。このとき吹き付け用のノズル１８を型枠１の斜め上方に位置させて、モルタル１７を６〜８ｋｇ／ｃｍ2の噴射圧力で型枠１の斜め上方から噴射する。モルタル１７は型枠１に充填されて堆積していく。なお、モルタル１７の噴射方向は型枠１の斜め上方からに限らず、型枠１のほぼ真上などから噴射してもよく、この噴射方向は現場の状況等によって適宜変更して作業を行う。
【００１９】
モルタル１７の細骨材１９の分布密度が高い場合には、図５に示すように多くの細骨材１９が、施工面としての法面Ｇや型枠１に堆積したモルタル１７等に当たって跳ね返り、モルタル１７を吹き付けた側と反対側の大サイズの網目部９、１１から排出される。
モルタル１７の細骨材１９の分布密度が低い場合には、図６に示すように上記図５に示した場合よりも少ない細骨材１９が上記の場合と同様にしてモルタル１７を吹き付けた側と反対側の大サイズの網目部９、１１から排出される。
【００２０】
例えば、モルタル１７において、単位体積当たり１０００個の細骨材１９が分布する場合、その三割に当たる３００個の細骨材１９が反対側の大サイズの網目部９、１１から排出されると仮定すると、施工後のモルタル１７には７００個の細骨材１９が含まれることになる。また、モルタル１７において、単位体積当たり７００個の細骨材１９が分布する場合も、その三割に当たる２１０個の細骨材１９が反対側の大サイズの網目部９、１１から排出されると仮定すると、４９０個の細骨材１９が、モルタルの単位体積当たりに含まれることになる。
【００２１】
従って、上記の細骨材１９の分布密度が高い場合と低い場合の施工後におけるモルタル１７の単位体積当たりに含まれる細骨材１９の差は７００−４９０＝２１０個となる。一方、本発明の型枠を用いない場合には、上記したような細骨材１９の排出は行われないので、細骨材１９の分布密度が高い場合と低い場合の施工後におけるモルタル１７の単位体積当たりに含まれる細骨材１９の差は１０００−７００＝３００個となる。このように細骨材１９の分布密度の均一化を図ることができる。
【００２２】
また、図５、図６に示したようにモルタル１７が型枠１内に堆積した状態において、小サイズの網目部７が型枠１の高さ寸法の下から半分程度までの範囲に配置されているので、型枠１内のモルタル１７が型枠１の外側へ垂れるのを防止することできる。従って、図７に示す補強体２０が変形することなく見栄えよく形成でき、その強度にも悪影響を及ぼすこともない。
【００２３】
更にモルタル１７を型枠１に吹き付けて、図７に示すように型枠１を覆う状態とする。モルタル１７は型枠１から側部が約２ｃｍ、頂部が約２ｃｍ程度になるまで吹き付け、全体形状が蒲鉾状になるようにする。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、型枠をほぼ逆Ｕ字状のベース部材と、これに連結固定される交差部材５によって構成することにより、小サイズの網目部７と大サイズの網目部９、１１を形成したが、本発明はこれに限定されず、小サイズの網目部と大サイズの網目部を備えたものであれば、かかる構成に限定されず、高さ方向の下端からほぼ半分の範囲に小サイズの網目部が配置され、小サイズの網目部より上端側に小サイズの網目部よりサイズの大きい大サイズの網目部が配置できる構成であれば、針金を網状に編むことによって構成してもよい。
【００２５】
更に、型枠の高さ寸法、幅寸法及び長さ寸法は、実施の形態に示したものに限定されず、施工場所等によって適宜変更する。更に小サイズ網目部と大サイズの網目部の寸法は、細骨材の径寸法によって適宜変更する。即ち、小サイズの網目部の幅寸法は細骨材の径寸法の１〜４倍程度の寸法とし、長さ寸法は６〜１６倍程度の寸法とする。また、大サイズの網目部の幅寸法は細骨材の径寸法の６〜３０倍程度の寸法とし、長さ寸法は６〜１６倍程度の寸法とする。
また、上記実施の形態では、モルタルを用いたがコンクリート、その他流動性を有する状態から固化するものであれば、合成樹脂等を使用することも可能である。
なお、鉄筋１３と鉄筋支持部材１５を使用したが、施行場所によっては、型枠１だけを使用することもできる。
【産業上の利用可能性】
【００２６】
本発明のモルタル、コンクリート等の施工用型枠、モルタル、コンクリート等は法面等において土砂が崩れるのを防止するためなどに用いることができ、土木、建設業において利用することが可能である。
【図面の簡単な説明】
【００２７】
【図１】本発明の実施の形態に係るモルタル、コンクリート等の施工用型枠の斜視図である。
【図２】図１のモルタル、コンクリート等の施工用型枠の平面図である。
【図３】図１のモルタル、コンクリート等の施工用型枠の側面図である。
【図４】本発明の実施の形態に係るモルタル、コンクリート等の施工方法の手順を説明するための図である。
【図５】本発明の実施の形態に係るモルタル、コンクリート等の施工方法の手順を説明するための図である。
【図６】本発明の実施の形態に係るモルタル、コンクリート等の施工方法の手順を説明するための図である。
【図７】本発明の実施の形態に係るモルタル、コンクリート等の施工方法の手順を説明するための図である。
【符号の説明】
【００２８】
１…モルタル、コンクリート等の施工用型枠    ３…ベース部材
５…交差部材      ７…小サイズの網目部
９、１１…大サイズの網目部      １３…鉄筋
１４…支柱      １５…鉄筋支持部材
１６…針金      １７…モルタル
１８…吹き付けノズル      １９…細骨材
Ｇ…法面
Ｔ…型枠の高さ寸法      Ｗ…型枠の下端部左右幅寸法
Ｌ…型枠の長さ寸法      Ｔ１…小サイズの網目部の高さ寸法
Ｌ１…小サイズの網目部の長さ寸法
Ｔ２…大サイズの網目部の高さ（幅）寸法
Ｌ２…大サイズの網目部の長さ寸法
Ｔ３…大サイズの網目部の高さ（幅）寸法
Ｌ３…大サイズの網目部の長さ寸法
【図１】
2010001692.tif 000003
【図２】
2010001692.tif 000004
【図３】
2010001692.tif 000005
【図４】
2010001692.tif 000006
【図５】
2010001692.tif 000007
【図６】
2010001692.tif 000008
【図７】
2010001692.tif 000009